(57)【要約】【課題】  従来建物の壁となる内装材や外装材の表面から裏面にかけて予め設けた貫通孔にねじ込む補助材は、作業時に前記壁の表面を破損させてしまったりするという問題があった。【解決手段】  建物の壁となる内装材や外装材の表面から裏面にかけて予め設けた貫通孔１０にねじ込む螺具６を補助するものであり、一枚の金属板より形成され、螺具６が挿通可能となる開口７を有する座部２と、前記貫通孔１０内周面に当接可能な板状部３を有する補助材１において、前記板状部３は前記座部２の外周縁部に縁設され、且つ前記座部２と反対側の端部を、前記壁の裏面に係止可能となるようにＬ字状に折り曲げ形成したことを特徴とする補助材１である。【選択図】図１
2009092229.tif 000002
【特許請求の範囲】
【請求項１】
建物の壁となる内装材や外装材の表面から裏面にかけて予め設けた貫通孔にねじ込む螺具を補助するものであり、一枚の金属板より形成され、螺具が挿通可能となる開口を有する座部と、前記貫通孔内周面に当接可能な板状部を有する補助材において、前記板状部は前記座部の外周縁部に縁設され、且つ前記座部と反対側の端部を、前記壁の裏面に係止可能となるようにＬ字状に折り曲げ形成したことを特徴とする補助材。
【請求項２】
前記補助材の板状部における、前記座部と反対側の端部を、前記座部の外周縁部外方に向かって折り曲げ形成したことを特徴とする、請求項１に記載の補助材。
【請求項３】
前記板状部の前記座部と、前記座部と反対側の端部の略中央部から、前記座部の外周縁部内方へ湾曲してなることを特徴とする請求項１及び２に記載の締結補助材。
【発明の詳細な説明】
【技術分野】
【０００１】  本発明は、建物の壁となる内装材や外装材の表面から裏面にかけて予め設けた貫通孔にねじ込む螺具の補助材に関するものである。
【背景技術】
【０００２】  従来、螺具の補助材として、螺具をねじ込む部材に形成した下孔の内周面に沿って、内周面の全周に満たない補助材を配置し、下孔にねじ込んだ螺具を被ねじ込み部材と補助材の双方に喰い込ませて締結する方法が知られている。（例えば、特許文献１を参照）【０００３】さらに螺具の補助材として、従来断面が円筒状で内部の孔が少なくとも途中から先端側で偏芯している胴部からなり、この胴部の周壁に頭部側から軸方向に沿うスリットを設けた構成が良く知られている。（例えば、特許文献２を参照）【０００４】
【特許文献１】  特許公報  第２５０２２５３号
【特許文献２】  特許公報  第２８５５０５９号
【発明の開示】
【発明が解決しようとする課題】
【０００５】  しかしながら、特許文献１に記載の構成は、下孔内周面に対して均一な圧力を加えて強固な保持力を発揮するため、穿孔時に他の部分に比べ比較的大きな負荷を加えられ、脆弱となった下孔の建材表面部に対して破損を発生させる場合があるため、作業者はその下孔穿孔において、現在一般的に用いられる、打撃を行うことで非常に高い穿孔能力を有するが、建材表面を極端に脆弱ならしめるハンマドリルを用いることができず、過去に用いられていた、打撃を行わず穿孔能力の低いドリルドライバを用いなければならないという問題があった。【０００６】  そして、上記の特許文献２に記載の構成は、建材芯部の下孔内周面に対して、局所的に大きな圧力を加えることによって保持力を発揮する構成となっている為、建材表面部の脆弱部に負荷を加えることが無く、前記ハンマドリルを用いて下孔を穿孔することが可能であるが、特許文献２の請求項１に記載の通り、断面が円筒状で内部の孔が少なくとも途中から先端側で偏芯している胴部からなる為、挿入される螺具は下孔の軸芯より偏芯した状態で挿入される。よって取り付け物の螺具挿入孔と、建材に設ける下孔の位置を予めずらしておく必要があり、作業手順の増加及び、それに伴う作業者の負担増加という問題があった。
【課題を解決するための手段】
【０００７】  上記のような課題を解決するために、本願の請求項１に記載の発明は、建物の壁となる内装材や外装材の表面から裏面にかけて予め設けた貫通孔にねじ込む螺具を補助するものであり、一枚の金属板より形成され、螺具が挿通可能となる開口を有する座部と、前記貫通孔内周面に当接可能な板状部を有する補助材において、前記板状部は前記座部の外周縁部に縁設され、且つ前記座部と反対側の端部を、前記壁の裏面に係止可能となるようにＬ字状に折り曲げ形成した構成としたものである。【０００８】また、請求項２の発明は、前記補助材の板状部における、前記座部と反対側の端部を、前記座部の外周縁部外方に向かって折り曲げ形成した構成としたものである。【０００９】さらに、請求項３の発明は、前記板状部の前記座部と、前記座部と反対側の端部の略中央部から、前記座部の外周縁部内方へ湾曲してなる構成としたものである。
【発明の効果】
【００１０】  本願の請求項１に記載の前記補助材は、一枚の金属板より形成され、前記螺具が挿通可能となる開口を有する前記座部と、前記貫通孔内周面に当接可能な前記板状部を有する前記補助材において、前記板状部は前記座部の外周縁部に縁設されることで、建物の壁となる内装材や外装材の厚みに合わせて自由に長さを設けることができ、かつ、前記座部と反対側の端部を、前記壁の裏面に係止可能となるようにＬ字状に折り曲げ形成することによって、前記螺具をねじ込むと、前記補助材は前記貫通孔内周面に対して密圧着することによって発生する摩擦力だけでなく、前記壁の裏面に対して前記のＬ字状に折り曲げた端部を引掛けることによって、強力な機械的固着力を発揮することができる。【００１１】つまり本願の請求項１に記載の構成は、前記壁の裏面に対して前記のＬ字状に折り曲げた端部を引掛けることで強力な機械的固着力を発揮することができるので、前記貫通孔内周面に対して大きな圧力を加え、大きな摩擦力を得る必要がない為、前記壁の、穿孔時の衝撃によって比較的脆弱となった表面部に対して、負荷をかける事無く十分な固着力を発揮することができる。【００１２】また、本願の請求項２に記載の、前記補助材の板状部における、前記座部と反対側の端部を、前記座部の外周縁部外方に向かって折り曲げ形成した構成としたことで螺具とＬ字状に折り曲げた端部は交差することが無く、使用する螺具の長さを気にする事無く作業を行うことが可能となり、前記補助具を使用するためにわざわざ螺具を用意する必要がなくなるため、速やかに作業を行うことができる。【００１３】さらに、本願の請求項３に記載の、前記板状部の前記座部と、前記座部と反対側の端部の略中央部から、前記座部の外周縁部内方へ湾曲してなる構成とすることで、螺具を挿入すると前記補助材の湾曲部において、前記貫通孔の孔径が小径となり、その位置より螺具は前記補助材を外周縁部外方へ押し広げながら進入していく。そのため、螺具へは前記補助材が元の形状へ戻ろうとする反発力が常時加えられ、螺具の緩みを防止することができると共に、螺具を前記貫通孔内周面に対して密圧着させることになり、より大きな固着力を発揮させることができる。
【発明を実施するための最良の形態】
【００１４】  本願の請求項１に記載の前記補助材において、前記Ｌ字状に折り曲げ形成された端部は、その折り曲げ角度が９０°以上であることが好ましい。【００１５】そうすることで、折り曲げ部と前記壁の裏面との間に隙間ができ、留め付け物の厚みの誤差によって発生する前期Ｌ字状に折り曲げ形成された端部と前記壁の裏面間の隙間発生を防ぐことができ、確実に固着力を発生させることができる。【００１６】さらに、一般的な前記壁の厚みが１４ｍｍ〜２５ｍｍであることを考慮し、前記補助材は前記座部の螺具挿入面から、前記Ｌ字状に折り曲げ形成された端部の折り曲げ部までの距離を、略１５〜３０ｍｍ程度に形成することが好ましい。【００１７】またさらに、本願の請求項１に記載の前記座部は、前記補助材が一般的に３ｍｍ〜８ｍｍ程度に設けられる貫通孔に対して確実に落落することを防止しつつ、作業完了後に目立たせないように、直径を略１０ｍｍ程度に形成することが好ましい。【００１８】そして、本願の請求項１に記載の前記板状部の幅は、前記貫通孔の直径に対して４分の３以下に設定することによって、前記螺具を挿入する際、前記板状部が前記螺具の進入を阻害する事無く作業を円滑に行うことができ、且つ、前記板状部の幅を、前記貫通孔の直径に対して８分の１以上とすることで、前記板状部は前記貫通穴内周面に対して十分な摩擦力による固着を行うことができる。【００１９】また、本願の請求項２に記載の、前記座部と反対側の端部を、前記座部の外周縁部外方に向かって折り曲げ形成した構成において、折り曲げ形成された前記座部と反対側の端部の長さは、１ｍｍ〜１０ｍｍ程度に設定されることが、前記貫通孔へ挿入し易く、且つ十分な強度を発揮することができるため好ましい。【００２０】さらに、本願の請求項３に記載の、前記板状部の前記座部と、前記座部と反対側の端部の略中央部から、前記座部の外周縁部内方へ湾曲してなる構成において、前記板状部の湾曲部分は、前記座部の螺具挿通孔における軸線を越えないように設けることが好ましい。そうすることで、螺具を挿入する際、ねじ込み抵抗が過度に発生する事無く螺具を真っ直ぐに前記補助材の挿入された前記貫通孔内へねじ込むことができる。【００２１】尚、前記湾曲部の始点はより具体的に、一般的な前記壁の厚みを配慮し、前記板状部の前記座部側端部より、約７〜１５ｍｍ離れた箇所にあることが望ましい。【００２２】ところが、前記座部の外周縁部内方へ湾曲してなる構成において、前記板状部の湾曲部分が、前記座部の螺具挿通孔における軸線を越えた場合、螺具をねじ込む際、螺具が斜めになって進入していくこととなってしまう為、工具と螺具の係合部が軸線上に並んだ状態で作業を行うこうができなくなってしまい、作業性の悪化、工具の破損発生を招いてしまうこととなる。
【実施例】
【００２３】  以下、本願の実施の形態を図面に基づき説明する。【００２４】  図１は前記補助材の実施の形態の一例を示す斜視図である。【００２５】  図２は作業前の前記補助材の取り付け状況を示す断面図である。【００２６】  図３は作業後の前記補助材の取り付け状況を示す断面図である。【００２７】  図１に示す実施の形態の前記補助材１は、建物の壁となる内装材や外装材の表面から裏面にかけて予め設けた前記貫通孔にねじ込む螺具を補助するものであり、一枚の金属板より形成され、螺具が挿通可能となる開口を有する前記座部２と、前記貫通孔内周面に当接可能な前記板状部３を有する補助材１において、前記板状部３は前記座部２の外周縁部に縁設され、且つ前記座部２と反対側の端部４を、前記壁の裏面に係止可能となるようにＬ字状に折り曲げ形成したことを特徴とする。【００２８】また、図１に示すように、前記端部４の終端部５を、前記座部２に設けられた螺具６が挿通可能となる開口部７の軸線と略平行に折り返された構成とすることで、螺具６を挿入した際に、前記Ｌ字状に折り曲げ形成された端部４は、前記壁の裏面に対して線接触することとなり、単位面積あたりの圧着力を大幅に増大させ、前記補助材１の固着力を大幅に増大させることができる。【００２９】さらに、図１に示すように、前記補助材１の前記板状部３に円弧状の突起８を設けることで、螺具６を捻じ込む際、前記壁に設けられた貫通孔に対して螺具６の回転方向に喰い込むこととなり、前記補助材１が共回り現象を起こしてしまい作業ができなくなってしまう問題を解消することができる。【００３０】  次に、図２及び図３に示すように、前記補助材１の前記板状部３における、前記座部２と反対側の端部４を、前記座部２の外周縁部外方に向かって折り曲げ形成したことによって、前記Ｌ字状に折り曲げ形成された端部４は螺具６の軸線に対して交差することがなくなり、使用する螺具６の長さを気にする事無く作業を行うことができるため、他の作業に用いた螺具６を流用することも可能となり、現場での作業性、資材の管理業務の利便性を大幅に向上させることができる。【００３１】また、図２及び図３に示すように、前記板状部３の前記座部２と、前記座部２と反対側の前記Ｌ字状に折り曲げ形成された端部４の略中央部９から、前記座部２の外周縁部内方へ湾曲するように形成したことによって、前記壁に設けられた貫通孔１０に対して前記補助材１を挿入するに当たり、前記Ｌ字状に折り曲げ形成された端部４が前記壁に引掛り、挿入を阻害する問題の発生を防止することができるばかりでなく、捻じ込まれる前記螺具６は、湾曲した前記板状部３から常に一定の圧着力を加えられ、作業完了後の螺具６の緩みを防止する効果を有することとなる。【００３２】尚、上記補助材１は、耐蝕性を考えステンレス鋼を用いることが好ましく、より好適には、螺具６に対する密着性を高めるために、ＳＵＳ３０１のようなバネ性を有する材料を用いることが好ましい。
【図面の簡単な説明】
【００３３】
【図１】  補助材の実施の形態の一例を示す斜視図
【図２】  作業前の補助材の取り付け状況を示す断面図
【図３】  作業後の補助材の取り付け状況を示す断面図
【符号の説明】
【００３４】      １．  補助材
２．  座部
３．  板状部
４．  Ｌ字状に折り曲げ形成された端部
５．  終端部
６．  螺具
７．  開口部
８．  円弧状の突起
９．  中央部
１０．貫通孔
【図１】
2009092229.tif 000003
【図２】
2009092229.tif 000004
【図３】
2009092229.tif 000005